(57)【要約】【課題】    従来の文献では、「外面方向（外側）へ突出するように折曲り、外面とスリーブ本体の内面の間に隙間を形成する」構成である。しかしながら、実施例の如く、傾斜方向に折曲げることと、併せて、外面の傾斜方向に折れ曲り部をランダム、又は整然と形成するには、技術と専用機が必要と考えられ、製造において、問題がある。【解決手段】    本発明は、紙製板状の長方形状シートの一面に切込みを形成し、切込みは、シートの下方に設けた折曲げ線の上で止まり、折曲げ線とシートの下端との間に、収容物の底部を支持する折曲シート部位を形成し、シートの切込みを利用して内捲き捲装し挿入空間と折曲げ線内角を形成し、折曲げ線内角は、収容物の外面に非接触とし、折曲シート部位を折曲げて内底部を形成し、内底部は、収容物の押し込み力に対峙する壁辺となるホルダカバーシート。【選択図】      図５−１
2020045152.tif 000002
【特許請求の範囲】
【請求項１】
シートを、長方形状、又はその他の形状にカットするとともに、その一面に多数の切込みを形成し、この切込みは、前記シートの下方に設けた折曲げ線の上で止まり、前記折曲げ線とこのシートの下端との間に、収容物の底部を支持する折曲シート部位を形成し、
前記シートの前記切込みを利用して内捲き捲装し、外郭体と筒状の挿入空間を形成するとともに、この外郭体の内面に、前記切込みによる折曲げ線内角を形成し、この折曲げ線内角は、前記挿入空間に、前記収容物を収容した際、この収容物の外面に非接触であり、この収容物への体温の伝播を無くし、この収容物の温度変化を軽減可能とし、
前記折曲シート部位を、内方に折曲げて内底部を形成し、この内底部は、前記収容物の押し込み力に対峙する壁辺となり、
前記挿入空間は、前記シートの捲装による前記外郭体の内面で、形成されることを特徴とするホルダカバーシート。
【請求項２】
請求項１に記載のシートの一方端部は、繋ぎ袖片となり、この繋ぎ袖片は、前記シートの下方に設けた折曲げ線の上で止まり、前記内底部の形成に邪魔とならないことを特徴とするホルダカバーシート。
【請求項３】
請求項２の前記繋ぎ袖片には、前記切込みが形成されないことを特徴とするホルダカバーシート。
【請求項４】
請求項２の前記繋ぎ袖片の内面には、糊代を有することを特徴とするホルダカバーシート。
【請求項５】
請求項１に記載のシートを、前記収容物に捲装して装着するホルダカバーにおいて、
１．  先ず、前記折曲げ線を有するシートを、捲装し、この切込みをランダムに折曲げながら、このシートをまるく仮捲きする手段と、
２．  この仮捲きしたシートで、請求項１の収容物を、順次、捲装するとともに、本巻きを行ってこの収容物の外面を本捲きしたシートで隠蔽する手段と、
３．  この収容物の外面を本捲きしたシートで隠蔽する手段で、結果として、この本捲きしたシートには、前記収容物用の挿入空間が形成される手段と、
４．  この挿入空間を確定するために、前記シートの繋ぎ袖片の糊代を利用し、この挿入空間の形態を確定する手段と、
５．  確定した挿入空間には、請求項１の収容物の底部を支持する折曲シート部位を、内方に折曲げて内底部を形成し、この内底部は、前記収容物の押し込み力に対峙可能な壁辺を形成する手段と、
でなることを特徴とするホルダカバーシートの使用方法。
【請求項６】
請求項１に記載のシートを、前記収容物に捲装して装着するホルダカバーにおいて、
１．  先ず、前記シートにある前記折曲シート部位を、内方に折曲げ形成し、
２．  前記折曲げ線を有するシートを、捲装し、この切込みをランダムに折曲げながら、このシートをまるく仮捲きする手段と、
３．  この仮捲きしたシートで、請求項１の収容物を、順次、捲装するとともに、本巻きを行ってこの収容物の外面を本捲きしたシートで隠蔽する手段と、
４．  この収容物の外面を本捲きしたシートで隠蔽する手段で、結果として、この本捲きしたシートには、前記収容物用の挿入空間が形成される手段と、
５．  この挿入空間を確定するために、前記シートの繋ぎ袖片の糊代を利用し、この挿入空間の形態を確定する手段と、
６．  確定した挿入空間には、前記収容物の底部を、前記折曲シート部位で支持するとともに、この折曲シート部位は、この収容物の押し込み力に対峙可能な壁辺を形成する手段と、
でなることを特徴とするホルダカバーシートの使用方法。
【発明の詳細な説明】
【技術分野】
【０００１】
本発明は、ホルダカバーシートと、その使用方法に関する。
【背景技術】
【０００２】
本発明が目的とするホルダカバーシートと、その使用方法に関しては、文献上において、種々の提案がされている。
【０００３】
缶・瓶製の収容物に関し、この収容物の外周を、紙、保温材、又は樹脂材等の保護材で捲装する構造が種々提案されている。その中で、関連性がある考案として、実用新案登録第３２０７２０９号に、次のような構造が開示されている。即ち、シート状のスリーブ本体を、コップの外面に添わせるように捲装（券回）すると、外面方向（外側）へ突出するように折曲り、外面とスリーブ本体の内面の間に隙間を形成する。これにより、空気が緩衝効果（保温・冷効果とか、保持の容易化、結露防止）を発揮できる。次に、容器、カップに保護材を捲装する発明とし、特開２００６−２７７２３号公報、特開２００９−６６２１０号公報か挙げられる。そして、特開２００６−２７７２３号公報には、切欠き形状の底部の構造があり、前述の効果に、底吸滴部を備えることである。また、特開２００９−６６２１０号公報には、内面に切溝を形成し捲装時の曲り確保を備える構成である。前述の効果に、曲りを備えることである。
【特許文献１】実用新案登録第３２０７２０９号公報
【特許文献２】特開２００６−２７７２３号公報
【特許文献３】特開２００９−６６２１０号公報
【発明の概要】
【発明が解決しようとする課題】
【０００４】
特許文献１では、「外面方向（外側）へ突出するように折曲り、外面とスリーブ本体の内面の間に隙間を形成する」構成である。しかし、実施例の如く、傾斜方向に折曲げることと、併せて、外面の傾斜方向に折れ曲り部をランダム、又は整然と形成するには、技術と専用機が必要と考えられ、製造において、問題があると考えられる。
【０００５】
また、特許文献２では、「凹凸形状の折曲げ部と、底吸滴部を備える」構成である。しかし、単純な凹凸形状では、環状に折曲げ部を形成するには、厄介であり、かつ型崩れの心配がある。
【０００６】
さらに、特許文献３では、「内面に切溝を形成し捲装時の曲り確保を備える」構成である。しかし、単純な切溝では、特許文献２と同様に、環状に折曲げ部を形成するには、厄介であり、かつ型崩れの心配がある。
【課題を解決するための手段】
【０００７】
上記に鑑み、本発明では、シートを環状に折曲げ、かつランダム、又は整然とした折曲げ形態を確保しつつ、シートの外面に折曲り線、及び／又は、折曲げ形態を形成できる。これによって、保温、及び／又は、保冷効果を達成し、好みの温度（冷感、又は温感）を確保する。又は把持の持続性と、把持の容易化等の特徴を図れる。また、本発明では、繋ぎ袖片を、シートの下端より短尺とすることで、捲装時のシート下部の繋がり、及び面のフラット化と、下部底辺の平坦化とに寄与できる。
【０００８】
以上の目的達成に、請求項１−６を提供する。
【発明の効果】
【０００９】
請求項１は、紙製等の板状のシートを、長方形状、又はその他の形状にカットするとともに、一面に多数の切込みを形成し、切込みは、シートの下方に設けた折曲げ線の上で止まり、折曲げ線とシートの下端との間に、収容物の底部を支持する折曲シート部位を形成し、
シートの切込み（切込みによる折曲げ線）を利用して内捲き捲装し、外郭体と筒状の挿入空間を形成するとともに、外郭体の内面に、切込みによる折曲げ線内角を形成し、折曲げ線内角は、挿入空間に、収容物を収容した際、収容物の外面に非接触であり、収容物への体温の伝播を無くし、収容物の温度変化を軽減可能とし、
シートの切込みによる折曲げで、シートの外面に折曲り線を形成し、折曲り線は、把手用のスリップ止めとなり、
折曲シート部位を、内方に折曲げて内底部を形成し、内底部は、収容物の押し込み力に対峙する壁辺となり、
挿入空間は、シートの捲装による外郭体の内面で、形成されることを特徴とするホルダカバーシートである。
【００１０】
これにより、請求項１は、シートを環状に折曲げ、かつランダム、又は整然とした折曲げ形態を確保できることと、シートの外面に折曲げ線、及び／又は、折曲げ形態を形成できる。これによって、保温、及び／又は、保冷効果を達成し、好みの温度（冷感、又は温感）を確保可能とする。又は把持の持続性と、把持の容易化等の特徴を図れる。
【００１１】
請求項２は、請求項１に記載のシートの一方端部は、繋ぎ袖片となり、繋ぎ袖片は、シートの下方に設けた折曲げ線の上で止まり、内底部の形成に邪魔とならないことを特徴とするホルダカバーシートである。
【００１２】
従って、請求項２では、請求項１の特徴に併せて、繋ぎ袖片を、シートの下端より短尺とすることで、捲装時のシート下部の繋がり、及び面のフラット化と、下部底辺の平坦化とに寄与できる。
【００１３】
請求項３は、請求項２の繋ぎ袖片には、切込みが形成されないことを特徴とするホルダカバーシートである。
【００１４】
従って、請求項３では、請求項２と同じ特徴が期待できる。
【００１５】
請求項４は、請求項２の繋ぎ袖片の内面には、糊代を有することを特徴とするホルダカバーシートである。
【００１６】
従って、請求項４では、請求項１の特徴に併せて、繋ぎ袖片と、シートの縦方向の繋ぎ面を、フラットに近い状態で、かつ下部底辺の美観に寄与できる。
【００１７】
請求項５は、請求項１に記載のシートを、収容物に捲装して装着するホルダカバーにおいて、
１．  先ず、折曲げ線を有するシートを、捲装し、切込みをランダムに折曲げながら、シートをまるく仮捲きする手段と、
２．  仮捲きしたシートで、請求項１の収容物を、順次、捲装するとともに、本巻きを行ってこの収容物の外面を本捲きしたシートで隠蔽する手段と、
３．  収容物の外面を本捲きしたシートで隠蔽する手段で、結果として、本捲きしたシートには、収容物用の挿入空間が形成される手段と、
４．  挿入空間を確定するために、シートの繋ぎ袖片の糊代を利用し、挿入空間の形態を確定する手段と、
５．  確定した挿入空間には、請求項１の収容物の底部を支持する折曲シート部位を、内方に折曲げて内底部を形成し、内底部は、収容物の押し込み力に対峙可能な壁辺を形成する手段と、
でなることを特徴とするホルダカバーシートの使用方法である。
【００１８】
請求項６は、請求項１に記載のシートを、前記収容物に捲装して装着するホルダカバーにおいて、
１．  先ず、前記シートにある折曲シート部位を、内方に折曲げ形成し、
２．  折曲げ線を有するシートを、捲装し、切込みをランダムに折曲げながら、シートをまるく仮捲きする手段と、
３．  仮捲きしたシートで、請求項１の収容物を、順次、捲装するとともに、本巻きを行って収容物の外面を本捲きしたシートで隠蔽する手段と、
４．  収容物の外面を本捲きしたシートで隠蔽する手段で、結果として、本捲きしたシートには、収容物用の挿入空間が形成される手段と、
５．  挿入空間を確定するために、シートの繋ぎ袖片の糊代を利用し、挿入空間の形態を確定する手段と、
６．  確定した挿入空間には、収容物の底部を、折曲シート部位で支持するとともに、折曲シート部位は、収容物の押し込み力に対峙可能な壁辺を形成する手段と、
でなることを特徴とするホルダカバーシートの使用方法である。
【００１９】
従って、請求項５・６は、請求項１−４に記載の通りの特徴が期待できる。
【図面の簡単な説明】
【００２０】
【図１】折曲げ線を有するシートを内面より見た展開図
【図２−１】図１の展開状態より、シートを、捲装し、切込みをランダム、及び／又は、整然（図示しない）と折曲げながら、シートをまるく仮捲きする状態の模式図
【図２−２】図２−１の完成した状態の模式図
【図３−１】図２−２の仮捲きしたシートで、収容物（缶）を、順次、捲装する状態の模式図
【図３−２】図３−１の完成した状態で、収容物の外面を本捲きしたシートで隠蔽するとともに、シートの挿入空間に、収容物が挿入されながら、順次、収容されていく過程を示す状態の模式図
【図４】図３−２を経過した後に、挿入空間を確定するために、シートの繋ぎ袖片の糊代を利用し、本捲きしたシートの内面に、この繋ぎ袖片の糊着で、挿入空間の形態が確定された模式図
【図５−１】折曲シート部位を、内方に折曲げ、この折曲シート部位で、収容物の底部を支持する状態の一部欠截の模式図
【図５−２】図５−１を仰視した状態を、平面視した模式図
【図６】別のシートの使用法であり、図１の展開状態より、折曲シート部位を、内方に折曲げる状態の内面より見た展開図
【図７−１】図６の展開状態より、シートを、捲装し、切込みをランダム、及び／又は、整然（図示しない）と折曲げながら、シートをまるく仮捲きする状態の模式図、
【図７−２】図７−１の完成した状態の模式図
【図８−１】図７−２の仮捲きしたシートで、収容物（缶）を、順次、捲装する状態の模式図
【図８−２】図８−１の完成した状態で、収容物の外面を本捲きしたシートで隠蔽するとともに、シートの挿入空間に、収容物が挿入されながら、順次、収容されていく過程を示す状態の模式図
【図９】図８−２を経過した後に、挿入空間を確定するために、シートの繋ぎ袖片の糊代を利用し、本捲きしたシートの内面に、この繋ぎ袖片の糊着で、挿入空間の形態が確定された模式図
【図１０−１】折曲シート部位を、内方に折曲げ、この折曲シート部位で、収容物の底部を支持する状態の一部欠截の模式図
【図１０−２】図１０−１を仰視した状態を、平面視した模式図
【発明を実施するための形態】
【００２１】
以下、本発明の好ましい一例を説明するが、以下の各実施例は、あくまでも、一例を示したものであり、同様な効果と特徴を有する他の構造、手段は、本発明の範疇である。
【００２２】
図中１はシートで、このシートは、例えば（省略もある）、紙製、樹脂、板材、鋼材、複合素材等で成り、かつ折曲げ可能な、例えば、略薄板、箔状でなる。長方形状、又はその他の形状が望ましいが、楕円形状、繭形形状等の変形形状もあり限定されない。
【００２３】
このシート１は、図１の展開状態で理解できるように、長方形状にカットされている。そして、内面１ｂ（裏面）には、多数の切込み２を形成するが（プレス加工で成形する）、この切込み２は、シート１の下方１−１に設けた折曲げ線３の上で止まる。理由は、折曲げ線３とシートの下端１ｃとの間に、収容物Ａの底部Ａ１を支持する折曲シート部位５を形成するためである。以上の作業は、例えば、一連のプレス成型で、一度に成形し、例えば、低価格化と、精度向上とを図る。また、切込み２は外面１ａには表れない構造とする。外側１ａに柄、言葉等を表記する際に、美観、感覚等を損ねないようにする。
【００２４】
尚、シート１の一方端部１ｄ（シート１の捲装方向Ｂの角隅Ｄ）は、繋ぎ袖片６となり、繋ぎ袖片６は、シート１の下方１−１に設けた折曲げ線３の上で止まり、シート１の短尺方向Ｃ（捲装方向Ｂと対峙する上下方向）において、短尺形態である。短尺形態Ｃとは、図１の如く、捲装方向Ｂの右端Ｂ１と短尺方向Ｃの下端１ｃでなる角隅Ｄに切欠き６ａを設けて形成するものであり、下方１−１の角隅Ｄを切り欠く。また、短尺形態Ｃは、後述する折曲げ形成した内底部の形成に邪魔とならない構成である。
【００２５】
尚、シート１を捲装して形成される外郭体７には、挿入空間１０が形成される。そこで、前記折曲シート部位５を、挿入空間１０の内方１０００に向かって、順次、折曲げる。この折曲シート部位５の折曲げ作業（所作）で、内底部１１を形成し、内底部１１は、収容物Ａの押し込み力に対峙する壁辺１２となる。
【００２６】
続いて、図１〜図５で示した一例による、展開状態のシート１を、収容物Ａに捲装して装着するホルダカバー４０として利用する例を説明する。
【００２７】
図２−１に示したように、シート１の個々の切込み２を順次折り曲げて、シート１を、内方１０００に折曲げ形成（内捲き捲装）する。
【００２８】
図２−２に示したように、切込み２を有するシート１のみで、捲装し、この切込み２をランダム、及び／又は、規則的（図示しない）に折曲げながら、このシート１をまるく仮捲きする。
【００２９】
図３−１・図３−２に示したように、仮捲きしたシート１で、収容物Ａ（缶）を、順次、捲装するとともに、本捲きを行って収容物Ａの外面Ａ２を本捲きしたシート１で、収容物Ａを隠蔽する。但し、収容物Ａの飲み口は隠蔽しない。
【００３０】
図４に示したように．この本捲きシート１で、収容物Ａを隠蔽する状態では、前述の如く、挿入空間１０が形成されるとともに、折曲シート部位５を、挿入空間１０の内方１０００に向かって、順次、折曲げ作業をすると、内底部１１が形成される。この形成された内底部１１は、収容物Ａの押し込み力に対峙する壁辺１２となる。また、この挿入空間１０を確定するために、シート１の繋ぎ袖片６の糊代を利用し、この挿入空間１０の形態を確定する。
【００３１】
このようにして、収容物Ａの外面Ａ２を本捲きしたシート１で隠蔽することで、シート１は、切込み２で順次折畳まれ、この切込み２は、折曲げ線内角２００を形成する。この折曲げ線内角２００とは、切込み２の両端であって、かつ収容物Ａの外面Ａ２に非接触な内角度を云う。また、切込み２、及び／又は、折曲げ線内角２００が形成されることで、外面１ａには折曲り線２０が形成される。この折曲り線２０は、把持した際のスリップ止めとして有効である。また、熱伝達の回避にも役立ち、熱さ対策に有益である。
【００３２】
図５−１・図５−２に示したように、確定した挿入空間１０には、収容物Ａの底部Ａ１を、折曲シート部位５で支持するとともに、この折曲シート部位５は、この収容物Ａの押し込み力に対峙可能な壁辺１２を形成する。
【００３３】
次に、図６〜図１０で示した一例による、展開状態のシート１を、収容物Ａに捲装して装着するホルダカバー４０として利用する例を説明する。
【００３４】
図６に示したように、シート１の別の使用法であり、図１の展開状態より、折曲シート部位５を、内方に折曲げる。
【００３５】
図７−１に示したように、図６の展開状態より、シート１を、捲装し、切込み２をランダム、及び／又は、規則的に折曲げながら、シート１をまるく仮捲きする。そして、図７−２は、図７−１の完成した状態である。
【００３６】
図８−１に示したように、図７−２の仮捲きしたシート１で、収容物Ａ（缶）を、順次、捲装する状態であって、図８−２は、図８−１の完成した状態である。即ち、収容物Ａの外面Ａ２を本捲きしたシート１で隠蔽するとともに、シート１の挿入空間１０に、収容物Ａが挿入されながら、順次、収容されていく過程を示している。
【００３７】
図９に示したように、図８−２を経過した後に、挿入空間１０を確定するために、シート１の繋ぎ袖片６の糊代を利用し、本捲きしたシート１の内面１ｂに、この繋ぎ袖片６の糊着で、挿入空間１０の形態が確定された状態である。
【００３８】
図１０−１・図１０−２に示したように、確定した挿入空間１０には、収容物Ａの底部Ａ１を、折曲シート部位５で支持するとともに、この折曲シート部位５は、この収容物Ａの押し込み力に対峙可能な壁辺１２を形成する。
【００３９】
尚、図６〜図１０で示した一例による説明は、前述の、図１〜図５で示した一例に準ずるので、その要部の説明は、割愛する。
【符号の説明】
【００４０】
１  シート
１ａ  外面
１ｂ  内面
１ｃ  下端
１？  一方端部
１−１  下方
２  切込み
３  折曲げ線
５  折曲シート部位
６  繋ぎ袖片
６ａ  切欠き
７  外郭体
１０  挿入空間
１０００  内方
１１  内底面
１２  壁辺
２０  折曲り線
２００  折曲げ線内角  
４０  ホルダカバー
Ａ  収容物
Ａ１  底部
Ａ２  外面
Ｂ  捲装方向
Ｂ１  右端
Ｃ  短尺方向
Ｄ  角隅
【図１】
2020045152.tif 000003
【図２−１】
2020045152.tif 000004
【図２−２】
2020045152.tif 000005
【図３−１】
2020045152.tif 000006
【図３−２】
2020045152.tif 000007
【図４】
2020045152.tif 000008
【図５−１】
2020045152.tif 000009
【図５−２】
2020045152.tif 000010
【図６】
2020045152.tif 000011
【図７−１】
2020045152.tif 000012
【図７−２】
2020045152.tif 000013
【図８−１】
2020045152.tif 000014
【図８−２】
2020045152.tif 000015
【図９】
2020045152.tif 000016
【図１０−１】
2020045152.tif 000017
【図１０−２】
2020045152.tif 000018
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
シートを、長方形状、又はその他の形状にカットするとともに、このシートの内面に多数の切込みを形成し、この切込みは、前記シートの下方に設けた折曲げ線の上で止まり、前記折曲げ線とこのシートの下端との間に、収容物の底部を支持する折曲シート部位を形成し、
前記シートの前記切込みを利用して内捲き捲装し外郭体を形成し、この外郭体に筒状の挿入空間を形成するとともに、この外郭体の内面に、前記切込みによる折曲げ線内角を形成し、この折曲げ線内角は、前記挿入空間に、前記収容物を収容した際、この収容物の外面に非接触であり、この収容物への体温の伝播を無くし、この収容物の温度変化を軽減可能とし、
前記折曲シート部位を、内方に折曲げて内底部を形成し、この内底部は、前記収容物の押し込み力に対峙する壁辺となり、
前記挿入空間は、前記シートの捲装による前記外郭体の内面で、形成されることを特徴とするホルダカバーシート。
【請求項２】
請求項１に記載のシートの一方端部は、繋ぎ袖片となり、この繋ぎ袖片は、前記シートの下方に設けた折曲げ線の上で止まり、前記内底部の形成に邪魔とならないことを特徴とするホルダカバーシート。
【請求項３】
請求項２の前記繋ぎ袖片には、前記切込みが形成されないことを特徴とするホルダカバーシート。
【請求項４】
請求項２の前記繋ぎ袖片の内面には、糊代を有することを特徴とするホルダカバーシート。
【請求項５】
請求項１に記載のシートを、前記収容物に捲装して装着するホルダカバーにおいて、
１．  先ず、前記折曲げ線を有するシートを、捲装し、この切込みをランダムに折曲げながら、このシートをまるく仮捲きする手段と、
２．  この仮捲きしたシートで、請求項１の収容物を、順次、捲装するとともに、本巻きを行ってこの収容物の外面を本捲きしたシートで隠蔽する手段と、
３．  この収容物の外面を本捲きしたシートで隠蔽する手段で、結果として、この本捲きしたシートには、前記収容物用の挿入空間が形成される手段と、
４．  この挿入空間を確定するために、前記シートの繋ぎ袖片の糊代を利用し、この挿入空間の形態を確定する手段と、
５．  確定した挿入空間には、請求項１の収容物の底部を支持する折曲シート部位を、内方に折曲げて内底部を形成し、この内底部は、前記収容物の押し込み力に対峙可能な壁辺を形成する手段と、
でなることを特徴とするホルダカバーシートの使用方法。
【請求項６】
請求項１に記載のシートを、前記収容物に捲装して装着するホルダカバーにおいて、
１．  先ず、前記シートにある前記折曲シート部位を、内方に折曲げ形成し、
２．  前記折曲げ線を有するシートを、捲装し、この切込みをランダムに折曲げながら、このシートをまるく仮捲きする手段と、
３．  この仮捲きしたシートで、請求項１の収容物を、順次、捲装するとともに、本巻きを行ってこの収容物の外面を本捲きしたシートで隠蔽する手段と、
４．  この収容物の外面を本捲きしたシートで隠蔽する手段で、結果として、この本捲きしたシートには、前記収容物用の挿入空間が形成される手段と、
５．  この挿入空間を確定するために、前記シートの繋ぎ袖片の糊代を利用し、この挿入空間の形態を確定する手段と、
６．  確定した挿入空間には、前記収容物の底部を、前記折曲シート部位で支持するとともに、この折曲シート部位は、この収容物の押し込み力に対峙可能な壁辺を形成する手段と、
でなることを特徴とするホルダカバーシートの使用方法。
【手続補正２】
【補正対象書類名】明細書
【補正対象項目名】０００９
【補正方法】変更
【補正の内容】
【０００９】
請求項１は、紙製等の板状のシートを、長方形状、又はその他の形状にカットするとともに、シートの内面に多数の切込みを形成し、切込みは、シートの下方に設けた折曲げ線の上で止まり、折曲げ線とシートの下端との間に、収容物の底部を支持する折曲シート部位を形成し、
シートの切込み（切込みによる折曲げ線）を利用して内捲き捲装し外郭体を形成し、この外郭体に筒状の挿入空間を形成するとともに、外郭体の内面に、切込みによる折曲げ線内角を形成し、折曲げ線内角は、挿入空間に、収容物を収容した際、収容物の外面に非接触であり、収容物への体温の伝播を無くし、収容物の温度変化を軽減可能とし、
シートの切込みによる折曲げで、シートの外面に折曲り線を形成し、折曲り線は、把手用のスリップ止めとなり、
折曲シート部位を、内方に折曲げて内底部を形成し、内底部は、収容物の押し込み力に対峙する壁辺となり、
挿入空間は、シートの捲装による外郭体の内面で、形成されることを特徴とするホルダカバーシートである。
【手続補正３】
【補正対象書類名】明細書
【補正対象項目名】００４０
【補正方法】変更
【補正の内容】
【００４０】
１  シート
１ａ  外面
１ｂ  内面
１ｃ  下端
１ｄ  一方端部
１−１  下方
２  切込み
３  折曲げ線
５  折曲シート部位
６  繋ぎ袖片
６ａ  切欠き
７  外郭体
１０  挿入空間
１０００  内方
１１  内底面
１２  壁辺
２０  折曲り線
２００  折曲げ線内角  
４０  ホルダカバー
Ａ  収容物
Ａ１  底部
Ａ２  外面
Ｂ  捲装方向
Ｂ１  右端
Ｃ  短尺方向
Ｄ  角隅